(57)【要約】 【課題】停電時において効率的な電力供給を実現可能な情報処理装置、制御方法およびプログラムを提供する。【解決手段】本発明に係る情報処理装置は、処理部に対する電力供給を制御する電源制御部と、電力供給能力が異なる複数の電力生成部とを備える。電源制御部は、商用電源からの電力供給が停止された場合、動作状態に応じて、複数の電力生成部の中から、電力供給に用いる電力生成部を選択する制御を行う。【選択図】図１
2014116810.tif 000002
【特許請求の範囲】
【請求項１】
処理部に対する電力供給を制御する電源制御部と、
電力供給能力が異なる複数の電力生成部と、を備え、
前記電源制御部は、商用電源からの電力供給が停止された場合、動作状態に応じて、前記複数の電力生成部の中から、電力供給に用いる電力生成部を選択する制御を行う、
情報処理装置。
【請求項２】
入力される電力を、前記処理部で使用可能な電力に変換する変換部をさらに備え、
前記電源制御部は、動作状態に応じて、選択対象の電力生成部からの電力を前記変換部で変換するか否かを切り替える制御を行う、
請求項１に記載の情報処理装置。
【請求項３】
前記複数の電力生成部の中には、電力供給能力が閾値以下の第１電力生成部と、前記第１電力生成部よりも電力供給能力が高い第２電力生成部とが含まれ、
前記電源制御部は、割り込みだけを受け付けることができる動作状態を示す第１モードの場合は、前記第１電力生成部を選択し、選択した前記第１電力生成部からの電力を前記変換部で変換する制御は行わない一方、前記第１モードよりも消費電力が大きい動作状態を示す第２モードの場合は、前記第２電力生成部を選択し、選択した前記第２電力生成部からの電力を前記変換部で変換する制御を行う、
請求項２に記載の情報処理装置。
【請求項４】
前記複数の電力生成部の中には、電力供給能力が閾値以下の第１電力生成部と、前記第１電力生成部よりも電力供給能力が高い第２電力生成部とが含まれ、
前記電源制御部は、割り込みだけを受け付けることができる動作状態を示す第１モードの場合は、前記第１電力生成部を選択する制御を行う一方、前記第１モードよりも消費電力が大きい動作状態を示す第２モードの場合は、前記第２電力生成部を選択する制御を行う、
請求項１に記載の情報処理装置。
【請求項５】
前記電源制御部は、動作状態が変化する要因を検出した場合、検出した要因に応じて、電力供給に用いる電力生成部を選択する制御を行う、
請求項３または４に記載の情報処理装置。
【請求項６】
前記電源制御部は、前記第１モードから前記第２モードへ復帰する要因を示す復帰要因を検出した場合、前記第２電力生成部を選択する制御を行う、
請求項５に記載の情報処理装置。
【請求項７】
前記電源制御部は、動作状態と、前記複数の電力生成部の各々の現時点の電力供給能力とに応じて、電力供給に用いる電力生成部を選択する制御を行う、
請求項１に記載の情報処理装置。
【請求項８】
入力される電力を、前記処理部で使用可能な電力に変換する変換部をさらに備え、
前記電源制御部は、動作状態と、前記複数の電力生成部の各々の現時点の電力供給能力とに応じて、選択対象の電力生成部からの電力を前記変換部で変換するか否かを切り替える制御を行う、
請求項７に記載の情報処理装置。
【請求項９】
前記処理部は、外部装置との間で画像データの送受信を制御する、
請求項１に記載の情報処理装置。
【請求項１０】
前記複数の電力生成部の中には、所定のエネルギーを電力に変換可能な発電システム、または、２次電池が含まれる、
請求項１に記載の情報処理装置。
【請求項１１】
処理部を備えた情報処理装置の制御方法であって、
商用電源からの電力供給が停止された場合、動作状態に応じて、供給能力が異なる複数の電力生成部の中から、前記処理部への電力供給に用いる電力生成部を選択する制御を行う電源制御ステップを含む、
制御方法。
【請求項１２】
コンピュータを、
商用電源からの電力供給が停止された場合、動作状態に応じて、供給能力が異なる複数の電力生成部の中から、処理部への電力供給に用いる電力生成部を選択する制御を行う電源制御部として機能させるためのプログラム。
【発明の詳細な説明】
【技術分野】
【０００１】
本発明は、情報処理装置、制御方法およびプログラムに関する。
【背景技術】
【０００２】
近年、複写機能に加えて、公衆回線を通じて画像の送受信を行うファクシミリ機能や、例えばパーソナルコンピュータから出力された画像データ等を印刷するプリンタ機能を複合的に備えた画像形成装置（いわゆる複合機）が多く開発されている。このような画像形成装置では、例えば停電が発生すると装置全体の機能が停止し、複写機能やプリンタ機能だけでなく、ファクシミリ機能も発揮できない状態となる。そこで、例えば特許文献１には、停電時には２次電池から電力供給を行うことで、ファクシミリ機能を維持する技術が開示されている。
【発明の概要】
【発明が解決しようとする課題】
【０００３】
しかしながら、特許文献１に開示された技術では、停電時の電源として、ひとつの２次電池しか用意されていないので、停電時において効率的な電力供給を行うことができないという問題がある。
【０００４】
本発明は、上記に鑑みてなされたものであって、停電時において効率的な電力供給を実現可能な情報処理装置、制御方法およびプログラムを提供することを目的とする。
【課題を解決するための手段】
【０００５】
上述した課題を解決し、目的を達成するために、本発明は、処理部に対する電力供給を制御する電源制御部と、電力供給能力が異なる複数の電力生成部と、を備え、前記電源制御部は、商用電源からの電力供給が停止された場合、動作状態に応じて、前記複数の電力生成部の中から、電力供給に用いる電力生成部を選択する制御を行う。
【発明の効果】
【０００６】
本発明によれば、停電時において効率的な電力供給を実現できるという有利な効果を奏する。
【図面の簡単な説明】
【０００７】
【図１】図１は、第１実施形態の画像形成装置の構成例を示すブロック図である。
【図２】図２は、第１実施形態のＮＣＵの構成例を示すブロック図である。
【図３】図３は、第１実施形態の蓄電給電手段の構成例を示すブロック図である。
【図４】図４は、第１実施形態の電源制御部の動作例を示すフローチャートである。
【図５】図５は、第２実施形態の電源制御部の動作例を示すフローチャートである。
【発明を実施するための形態】
【０００８】
以下、添付図面を参照しながら、本発明に係る情報処理装置、制御方法およびプログラムの実施の形態を詳細に説明する。なお、以下の各実施形態では、情報処理装置の一例として、画像形成装置（ここではＭＦＰ）を例に挙げて説明するが、これに限定されるものではなく、情報処理装置の種類は任意である。
【０００９】
（第１実施形態）
図１は、本実施形態の画像形成装置１００の構成例を示すブロック図である。図１に示すように、画像形成装置１００は、ＦＣＵ（FAX  Control  Unit）１と、コントローラ１２と、画像形成部３０とを含む。コントローラ１２は、画像形成装置１００全体の動作を統括的に制御する。コントローラ１２には、画像形成部３０と、操作部１３と、読取部１４とが接続されている。
【００１０】
画像形成部３０は、用紙などの記録媒体上に画像を形成する機能を有する。例えば画像形成部３０は、電子写真やインクジェットの技術を用いて紙等に画像を印刷する。また、画像形成部３０は、コントローラ１２にてＮＩＣ、ＵＳＢインターフェースなどを介して受信したプリントデータも同様に印刷出力できる。
【００１１】
操作部１３は、画像送信、受信などをスタートさせるキー、送受信時におけるファイン、標準、自動受信などの操作モードを指定するモード選択キー、ダイヤリング用のテンキーないしワンタッチキーなどから構成される。
【００１２】
読取部１４は、ＤＭＡコントローラ、画像処理ＩＣ、イメージセンサ、ＣＭＯＳロジックＩＣなどから構成され、コンタクトセンサ（ＣＳ）を利用して読み取ったデータを２値化し、その２値化データを順次ＦＣＵ１（ＲＡＭ７）に送る。
【００１３】
次に、ＦＣＵ１の構成について説明する。ＦＣＵ１は、外部装置との間で画像データの送受信を制御する。より具体的には、ＦＣＵ１は、ファクシミリの送信／受信を制御する装置である。この例では、ＦＣＵ１の機能（外部装置との間で画像データの送受信を制御する機能）が、請求項の「処理部」に対応しているが、これに限られるものではない。図１に示すように、ＦＣＵ１は、主制御部２と、モデム３と、ＮＣＵ４と、ＲＯＭ６と、ＲＡＭ７と、不揮発性ＲＡＭ８と、蓄電給電手段９と、ＲＴＣ１０と、電源制御部１１と、電源部１６と、停電検出部１７とを備える。
【００１４】
主制御部２は、ＦＣＵ１全体の動作を統括的に制御する。より具体的には、主制御部２は、マイクロプロセッサなどから構成されるＣＰＵであり、ＲＯＭ６に記憶されているプログラムを実行することにより、モデム３、ＮＣＵ（網制御ユニット）４、ＲＡＭ７、不揮発性ＲＡＭ８を制御する。ＲＯＭ６は、主制御部２が実行するプログラム等の各種データを記憶する不揮発性のメモリである。
【００１５】
ＲＡＭ７は、揮発性のメモリであり、読取部１４によって読み取られた２値化画像データを格納する。また、ＲＡＭ７は、モデム３によって変調された信号を、ＮＣＵ４を介して電話回線５に出力される２値化画像データとして格納する。また、ＲＡＭ７は、電話回線５から入力されたアナログ波形信号を、ＮＣＵ４およびモデム３を介して復調し、その復調した２値化データを格納する。 
【００１６】
不揮発性ＲＡＭ８は、不揮発性のメモリであり、ＦＣＵ１の電源が遮断（ＦＣＵ１に対する電力供給が喪失）された状態であっても、保存しておくべきデータ（例えば、短縮ダイヤル番号など）を確実に格納する。 
【００１７】
モデム３は、Ｇ３モデムとこれらのモデムに接続されたクロック発生回路などから構成され、主制御部（ＣＰＵ）２の制御に基づいてＲＡＭ７に格納されている送信データを変調し、ＮＣＵ４を介して電話回線５に出力する。また、モデム３は、電話回線５のアナログ信号を、ＮＣＵ４を介して導き、その導いた信号を変調して２値化データをＲＡＭ７に格納する。
【００１８】
ＮＣＵ４は、主制御部２の制御の下、モデム３あるいは電話機１５のいずれかに切り替えて電話回線５を接続する。また、ＮＣＵ４は、呼出信号を検出する手段を有し、呼出信号が検出されたときは着信信号を後述の電源制御部（マイコン）１１に送出する。図１の例では、電話機１５は、ＦＣＵ１に外付けで接続される。具体的には、電話機１５は、ハンドセット、スピーチネットワーク、ダイヤラ、リンガー、テンキー、ワンタッチキーなどから構成される。
【００１９】
図２は、本実施形態に係るＮＣＵ４の構成例を示すブロック図である。図２に表記された２２は、呼出信号を検出するためのフォトカプラを指し、フォトカプラ２２は、電話回線５を通じて呼出信号を受けると、着信信号（Ｌレベル）が電源制御部１１に入力されるように動作する。スタンバイ時に呼出信号が検出されると、着信信号（Ｌレベル）が電源制御部１１に入力され、電源制御部１１が電源部１６に制御信号を送出する。電源部１６は、制御信号に応じて、ＦＣＵ電源をオンする（ＦＣＵ１が動作可能となるよう電力供給を行う）。ＦＣＵ１は起動すると、着信処理を実施し、着信処理が完了すると、再びＦＣＵ電源はオフされる。
【００２０】
図２に表記された２３は、電話機１５のオフフックを検出するためのフォトカプラを指し、フォトカプラ２３は、電話機１５がオフフックされると、Ｌレベルの信号が電源制御部１１に入力されるように動作する。電話機１５がオフフックされると、Ｌレベルの信号が電源制御部１１に入力され、入力されたＬレベルの信号を認識した電源制御部１１は、電源部１６に制御信号を送出する。ＦＣＵ１は起動すると、オフフックの処理を実施し、オフフックの処理が完了すると、再びＦＣＵ電源はオフされる。電源制御部１１および電源部１６の具体的な内容については後述する。
【００２１】
電源制御部１１は、ＦＣＵ１に対する電力供給を制御する。より具体的には、マイコンで構成される電源制御部１１は、電源部１６を介して、ＦＣＵ１の各部への通電を制御する。停電時（商用電源からの電力供給が停止されるとき）においては、電源制御部１１は、蓄電給電手段９からの電力供給を受けて動作可能（駆動可能）である。本実施形態では、電源制御部１１は、プログラムの実行を停止しておき、割り込みだけを受け付けることができる動作状態を示すＨＡＬＴモード（請求項の「第１モード」に対応）を有し、消費電力の極めて少ない状態で待機できる。割り込みを検知した場合は、電源制御部１１は、ＨＡＬＴモードよりも消費電力が大きい動作状態を示すＲＵＮモード（請求項の「第２モード」に対応）に移行して、必要な処理を実行する。そして、必要な処理が完了した後は、再び、ＨＡＬＴモードに移行することで、消費電力を極力低減することができる。
【００２２】
電源制御部１１は、ＮＣＵ４からの呼出信号、電話機１５のオフフック信号、省エネタイマーであるＲＴＣ(Real  Time  Clock)１０からの復帰信号などを検出すると、起動信号を電源部１６に送出する。
【００２３】
電源部１６はスイッチング電源であり、外部からスイッチングのＯＮ、ＯＦＦ制御が可能であり、電源制御部１１からの起動信号、停止信号によってそれぞれ電力を供給したり、電力を停止したりする。また、停電検出部１７は、商用電源からの電力供給が行われているか否かを検出する機能を有する。
【００２４】
図３は、蓄電給電手段９の構成例を示すブロック図である。図３に示すように、蓄電給電手段９は、蓄電部２０と、変換部２１とを含む。蓄電部２０は、例えば所定のエネルギー（例えば太陽電池、熱、振動、電磁波等）を電力に変換可能な発電システム、および、２次電池などの、電力供給能力が異なる複数の電力生成部から構成される。変換部２１は、入力される電力を、ＦＣＵ１で使用可能な電力に変換するための電圧変換素子であり、電力生成部からの出力電圧を、スイッチング電源などにより、所定の電圧に変換して出力する。変換部２１により電圧を生成する場合は、熱によりエネルギーロスが発生する。
【００２５】
図３の例では、通常に機器が動作している間（商用電源からの電力供給が行われている間）は、主電源４０より電源制御部１１に対する給電が行われる。停電時には、主電源４０がオフされ、電源制御部１１は、蓄電給電手段９から供給される電力により駆動する。
【００２６】
ここで、電源制御部１１は、停電などにより商用電源からの電力供給が停止された場合、動作状態に応じて、蓄電部２０を構成する複数の電力生成部の中から、電力供給に用いる電力生成部を選択する制御を行う。本実施形態では、電源制御部１１は、動作状態に応じて、選択対象の電力生成部からの電力を変換部２１で変換するか否かを切り替える制御を行う。この例では、電源制御部１１は、動作状態に応じて、選択対象の電力生成部の出力側と、変換部２１の入力側とを接続するか否かを切り替える制御を行う。
【００２７】
より具体的には、蓄電部２０を構成する複数の電力生成部の中には、電力供給能力が閾値以下の第１電力生成部（例えば太陽電池等の発電システム）と、第１電力生成部よりも電力供給能力が高い第２電力生成部（例えば２次電池）とが含まれ、電源制御部１１は、割り込みだけを受け付けることができる動作状態を示すＨＡＬＴモード（第１モード）の場合は、電力供給能力が比較的低い第１電力生成部を選択し、選択した第１電力生成部から電力を変換部２１で変換する制御を行う一方、ＨＡＬＴモードよりも消費電力が大きい動作状態を示すＲＵＮモード（第２モード）の場合は、電力供給能力が比較的高い第２電力生成部を選択し、選択した第２電力生成部からの電力を変換部２１で変換する制御は行わない（選択した第２電力生成部からの電力は、そのまま電力供給に用いられる）。
【００２８】
さらに詳述すれば以下のとおりである。前述したように、電源制御部１１は、動作状態として、ＨＡＬＴモードとＲＵＮモードとを有する。より具体的には、電源制御部１１は、ＦＣＵ１が画像データの送受信等の処理を行っていない場合（つまり、負荷電力が小さい場合）は、プログラムの実行を停止しておき、割り込みだけを受け付けることができるＨＡＬＴモードに移行する。一方、電源制御部１１は、ＦＣＵ１が画像データの送受信等の処理を実行する場合（つまり、負荷電力が大きい場合）は、ＨＡＬＴモードよりも消費電力が大きく、ＦＣＵ１の各部に対する電力供給を行うＲＵＮモードに移行する。
【００２９】
ＨＡＬＴモードの場合は、消費電力が少なくて済むため、電源制御部１１は、蓄電部２０を構成する複数の電力生成部のうち、電力供給能力が比較的低い太陽電池（発電システムの一例）などからなる第１電力生成部を、電力供給に用いる電力生成部として選択し、第１電力生成部からの電力を変換部２１で変換する制御は行わない。したがって、ＨＡＬＴモードの場合は、電力供給能力が比較的低い第１電力生成部からの電力が、直接（変換部２１を介さずに）、電源制御部１１に供給される。
【００３０】
一方、ＲＵＮモードの場合は、消費電力が大きくなるため、電源制御部１１は、蓄電部２０を構成する複数の電力生成部のうち、電力供給能力が比較的高い２次電池などからなる第２電力生成部を、電力供給に用いる電力生成部として選択し、第２電力生成部からの電力を変換部２１で変換する制御を行う。したがって、ＲＵＮモードの場合は、電力供給能力が比較的高い第２電力生成部からの電力が、変換部２１にて所定の電力に変換されて、電源制御部１１に供給される。この場合、電源制御部１１は、変換部２１にて変換された電力を、ＦＣＵ１の各部に供給する制御を行う。なお、この例では、電源制御部１１は、ＨＡＬＴモードとＲＵＮモードを有する場合を例に挙げて説明したが、これに限られるものではない。
【００３１】
また、電源制御部１１は、動作状態が変化する要因を検出した場合、検出した要因に応じて、電力供給に用いる電力生成部を選択する制御を行う。本実施形態では、電源制御部１１は、ＨＡＬＴモードからＲＵＮモードへ復帰する要因を示す復帰要因を検出した場合、第２電力生成部を選択し、選択した第２電源制御部からの電力を変換部２１で変換する制御を行う。そして、電源制御部１１は、ＲＵＮモードに移行して必要な処理を実行する。ＲＵＮモードでの消費電力は、ＨＡＬＴモードに比べて高くなるため、処理が完了した後は、電源制御部１１は、再びＨＡＬＴモードに移行して、復帰要因の検出を繰り返す。
【００３２】
次に、本実施形態の電源制御部１１の動作例を説明する。図４は、電源制御部１１の動作例を示すフローチャートである。図４に示すように、まず、画像形成装置１００に対する商用電源からの電力供給が開始されると（ステップＳ１）、電源制御部１１の初期化が行われる（ステップＳ２）。この場合、主電源４０より電源制御部１１に対する給電が行われる。次に、停電などにより、商用電源からの電力供給が停止された場合（ステップＳ３：ＹＥＳ）、画像形成装置１００の各部の動作は停止し、電源制御部１１には蓄電給電手段９からの電力が供給される。この場合、電源制御部１１は、ＨＡＬＴモードに移行する制御を行う（ステップＳ４）。より具体的には、電源制御部１１は、蓄電部２０を構成する複数の電力生成部の中から、電力供給能力が比較的低い太陽電池などの発電システムからなる第１電力生成部を選択し、選択した第１電力生成部からの電力を変換部２１で変換する制御は行わない。したがって、第１電力生成部からの電力が、直接、電源制御部１１に供給されるという具合である。
【００３３】
次に、電源制御部１１は、復帰要因を検出した場合（ステップＳ５：ＹＥＳ）、ＲＵＮモードに移行する制御を行う（ステップＳ６）。より具体的には、電源制御部１１は、蓄電部２０を構成する複数の電力生成部の中から、電力供給能力が比較的高い２次電池などからなる第２電力生成部を選択し、選択した第２電力生成部からの電力を変換部２１で変換する制御を行う。したがって、第２電力生成部からの電力が、変換部２１にて所定の電力に変換されて、電源制御部１１に供給されるという具合である。そして、電源制御部１１は、変換部２１で変換された電力を、ＦＣＵ１の各部に供給する制御を行う。これにより、ＦＣＵ１は、画像データの送受信等の処理を実施できる。
【００３４】
次に、電源制御部１１は、ＦＣＵ１による処理が完了したか否かを判断する（ステップＳ７）。ＦＣＵ１による処理が完了したと判断した場合（ステップＳ７：ＹＥＳ）、電源制御部１１は、再びＨＡＬＴモードに移行する制御を行い（ステップＳ８）、待機中の消費電力を極力抑える。
【００３５】
以上に説明したように、本実施形態では、電力供給能力が異なる複数の電力生成部が設けられ、電源制御部１１は、停電などにより商用電源からの電力供給が停止された場合は、動作状態に応じて、複数の電力生成部の中から、電力供給に用いる電力生成部を選択する制御を行うので、大規模の蓄電手段は必要とせずに、動作状態に適した電力生成部を選択して電力供給を行うことができる。
【００３６】
より具体的には、電源制御部１１は、動作状態に応じて、選択対象の電力生成部からの電力を変換部２１で変換するか否かを切り替える制御を行う。さらに言えば、電源制御部１１は、割り込みだけを受け付けることができる動作状態を示すＨＡＬＴモードの場合は、電力供給能力が比較的低い第１電力生成部を選択し、選択した第１電力生成部からの電力を変換部２１で変換する制御は行わない。一方、電源制御部１１は、ＨＡＬＴモードよりも消費電力が大きいＲＵＮモードの場合は、電力供給能力が比較的高い第２電力生成部を選択し、選択した第２電力生成部からの電力を変換部２１で変換する制御を行う。すなわち、電源制御部１１は、動作状態に応じて、変換部２１による電圧変換を行うか否かを切り替える制御も行うので、従来のように常に電圧変換を必要とする構成に比べて、電力ロスを低減できるという利点が得られる。
【００３７】
以上より、本実施形態によれば、停電時において効率的な電力供給を実現できるという有利な効果を奏する。
【００３８】
（第１実施形態の変形例）
例えば前述の変換部２１が設けられない形態であってもよい。この形態では、電源制御部１１は、割り込みだけを受け付けることができる動作状態を示すＨＡＬＴモード（第１モード）の場合は、第１電力生成部を選択する制御を行う一方、ＨＡＬＴモードよりも消費電力が大きい動作状態を示すＲＵＮモード（第２モード）の場合は、第２電力生成部を選択する制御を行うものであればよい。
【００３９】
（第２実施形態）
次に、第２実施形態について説明する。本実施形態では、電源制御部１１は、動作状態と、蓄電部２０を構成する複数の電力生成部の各々の現時点の電力供給能力とに応じて、電力供給に用いる電力生成部を選択する制御を行う。より具体的には、電源制御部１１は、動作状態と、複数の電力生成部の各々の現時点の電力供給能力とに応じて、選択対象の電力生成部からの電力を変換部２１で変換するか否かを切り替える制御を行う。以下、具体的な内容を説明する。なお、上述の第１実施形態と重複する部分については詳細な説明を適宜に省略する。
【００４０】
第２実施形態においては、電源制御部１１は、蓄電部２０を構成する複数の電力生成部の各々の現時点の電力供給能力を検出する機能を有する。例えばある電力生成部が太陽電池等の発電システムで構成されている場合、電源制御部１１は、発電システムの発電量を検出することで、現時点の発電システムの電力供給能力を検出することができる。また、例えば別の電力生成部が２次電地で構成されている場合、電源制御部１１は、２次電池の残容量を検出することで、現時点の２次電池の電力供給能力を検出することができる。
【００４１】
図５は、第２実施形態の電源制御部１１の動作例を示すフローチャートである。ステップＳ１０とステップＳ１１の処理内容は、図４のステップＳ１とステップＳ２の処理内容と同様なので、詳細な説明は省略する。ステップＳ１２において、電源制御部１１は、蓄電部２０を構成する複数の電力生成部の各々の状態を監視する制御を開始する。次に、停電などにより、商用電源からの電力供給が停止された場合（ステップＳ１３：ＹＥＳ）、電源制御部１１は、ＨＡＬＴモードに移行する制御を行う（ステップＳ１４）。この場合、例えば電源制御部１１は、蓄電部２０を構成する各電力生成部の電力供給能力を参照して、ＨＡＬＴモードを実現可能な電力供給能力を有している電力生成部の中から、最小の電力供給能力を有する電力生成部を選択する制御を行うこともできる。そして、選択対象の電力生成部からの電力を変換部２１で変換する必要があると判断した場合は、選択対象の電力生成部からの電力を変換部２１で変換する制御を行うこともできる。
【００４２】
次に、電源制御部１１は、復帰要因を検出した場合（ステップＳ１５：ＹＥＳ）、ＲＵＮモードに移行する制御を行う（ステップＳ１６）。この場合、例えば電源制御部１１は、蓄電部２０を構成する各電力生成部の電力供給能力を参照して、ＲＵＮモードを実現可能な電力供給能力を有している電力生成部の中から、最小の電力供給能力（ＲＵＮモードの場合は、最大の電力供給能力であってもよい）を有する電力生成部を選択する制御を行うこともできる。そして、選択対象の電力生成部を変換部２１で変換する制御を行うこともできる。ステップＳ１７以降の処理内容は、図４のステップＳ７以降の処理内容と同様なので、詳細な説明は省略する。
【００４３】
なお、例えば複数段階のＲＵＮモードが設けられるとともに、複数のＲＵＮモードと１対１に対応する複数の復帰要因が設定される形態であってもよい。この形態においては、電源制御部１１は、ある復帰要因を検出した場合、蓄電部２０を構成する各電力生成部の電力供給能力を参照して、その検出した復帰要因に対応するＲＵＮモードを実現可能な電力生成部の中から、最小の電力供給能力（最大の電力供給能力であってもよい）を有する電力生成部を選択する制御を行うこともできる。
【００４４】
以上、本発明の実施形態を説明したが、上述の各実施形態は、例として提示したものであり、発明の範囲を限定することは意図していない。本発明は、上述の各実施形態そのままに限定されるものではなく、実施段階ではその要旨を逸脱しない範囲で構成要素を変形して具体化できる。また、上述の各実施形態に開示されている複数の構成要素の適宜な組み合わせにより、種々の発明を形成できる。例えば、実施形態に示される全構成要素から幾つかの構成要素を削除してもよい。また、以上の各実施形態および変形例は任意に組み合わせることも可能である。
【００４５】
なお、上述の各実施形態の電源制御部１１が実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００４６】
さらに、上述の各実施形態の電源制御部１１が実行する制御プログラムを、インターネット等のネットワークに接続されたコンピュータ上に格納し、ネットワーク経由でダウンロードさせることにより提供するように構成してもよい。また、上述の各実施形態の電源制御部１１が実行される制御プログラムをインターネット等のネットワーク経由で提供または配布するように構成してもよい。
【符号の説明】
【００４７】
１  ＦＣＵ
２  主制御部
３  モデム
４  ＮＣＵ
５  電話回線
６  ＲＯＭ
７  ＲＡＭ
８  不揮発性ＲＡＭ
９  蓄電給電手段
１０  ＲＴＣ
１１  電源制御部
１２  コントローラ
１３  操作部
１４  読取部
１５  電話機
１６  電源部
１７  停電検出部
２０  蓄電部
２１  変換部
３０  画像形成部
１００  画像形成装置
【先行技術文献】
【特許文献】
【００４８】
【特許文献１】特開２００８−１８５７０７号公報
【図１】
2014116810.tif 000003
【図２】
2014116810.tif 000004
【図３】
2014116810.tif 000005
【図４】
2014116810.tif 000006
【図５】
2014116810.tif 000007